(57)【特許請求の範囲】
【請求項１】
所定の撮影パラメータの値を設定するための第１、第２設定値群と、
前記第１、第２設定値群の一方を選択する設定値群選択手段と、
設定値群の選択が前記第１設定値群から前記第２設定値群に変更されるとき、前記第１設定値群で設定された前記撮影パラメータの第１下側設定値Ａおよび第１上側設定値Ｂを、第２設定値群において前記第１下側設定値Ａおよび第１上側設定値Ｂにそれぞれ最も近い第２下側設定値Ａ’および第２上側設定値Ｂ’に変換する設定値変換手段とを備え、
前記設定値変換手段は、Ａ’＝Ｂ’となるとき、
｜Ａ’−Ａ｜＞｜Ｂ’−Ｂ｜ならば、前記第２下側設定値Ａ’の設定を前記第２設定値群のうちＡ’よりも小さく、Ａ’に最も近い値に変換し、
｜Ａ’−Ａ｜＜｜Ｂ’−Ｂ｜ならば、前記第２上側設定値Ｂ’の設定を前記第２設定値群のうちＢ’よりも大きく、Ｂ’に最も近い値に変換する
ことを特徴とする撮影パラメータ設定変更システム。
【請求項２】
前記撮影パラメータにＩＳＯ感度、絞り値、シャッタースピードの何れかが含まれることを特徴とする請求項１に記載の撮影パラメータ設定変更システム。
【請求項３】
前記撮影パラメータはＩＳＯ感度、絞り値、シャッタースピードの何れかをアペックス値に変換したＳｖ、Ａｖ、Ｔｖの何れかであることを特徴とする請求項１に記載の撮影パラメータ設定変更システム。
【請求項４】
前記第１、第２設定値群に含まれる設定値はそれぞれ、アペックス値に基づいて所定のステップを有することを特徴とする請求項１〜３の何れか一項に記載の撮影パラメータ設定変更システム。
【請求項５】
前記第１設定値群に含まれる設定値のステップが、前記第２設定値群に含まれる設定値のステップよりも小さいことを特徴とする請求項４に記載の撮影パラメータ設定変更システム。
【請求項６】
前記第１下側設定値Ａおよび前記第１上側設定値Ｂ、前記第２下側設定値Ａ’および前記第２上側設定値Ｂ’が、前記撮影パラメータの設定可能範囲の下限値および上限値に対応することを特徴とする請求項１〜５の何れか一項に記載の撮影パラメータ設定変更システム。
【請求項７】
前記上限値および下限値が前記撮影パラメータの自動設定の範囲の表示に用いられることを特徴とする請求項６に記載の撮影パラメータ設定変更システム。
【請求項８】
前記上限値および下限値が前記撮影パラメータの自動設定の範囲に用いられることを特徴とする請求項６〜７の何れか一項に記載の撮影パラメータ設定変更システム。
【請求項９】
請求項１〜８の何れか一項に記載の撮影パラメータ設定変更システムが搭載された撮像装置。
【請求項１０】
コンピュータに、
所定の撮影パラメータの値を設定するための第１、第２設定値群の一方を選択する手順と、
設定値群の選択が前記第１設定値群から前記第２設定値群に変更されるとき、前記第１設定値群で設定された前記撮影パラメータの第１下側設定値Ａおよび第１上側設定値Ｂを、第２設定値群において前記第１下側設定値Ａおよび第１上側設定値Ｂにそれぞれ最も近
い第２下側設定値Ａ’および第２上側設定値Ｂ’に変換する手順とを実行させるためのプログラムであって、
Ａ’＝Ｂ’となるとき、
｜Ａ’−Ａ｜＞｜Ｂ’−Ｂ｜ならば、前記第２下側設定値Ａ’の設定を前記第２設定値群のうちＡ’よりも小さく、Ａ’に最も近い値に変換し、
｜Ａ’−Ａ｜＜｜Ｂ’−Ｂ｜ならば、前記第２上側設定値Ｂ’の設定を前記第２設定値群のうちＢ’よりも大きく、Ｂ’に最も近い値に変換する
ことを特徴とするプログラム。
【発明の詳細な説明】
【技術分野】
【０００１】
本発明は、撮影パラメータの上限値および下限値の設定を行うことができる撮像装置に関する。
【背景技術】
【０００２】
デジタルカメラには、被写体輝度、絞り、シャッタースピードに応じて決まる露光量に対して最適と思われる撮像素子のＩＳＯ感度（受光信号の増幅度）を、ユーザが撮影意図に応じて決めた絞りとシャッタースピードに合わせて自動的に決定し、適正露出を得る感度オート機能を備えるものが知られている（特許文献１参照）。
【０００３】
感度オート機能を用いると、ユーザが高速シャッタを選択して、動きのある被写体を静止した画像として撮影する場合や、絞りを絞り込んで深い被写界深度を得る場合などには、高いＩＳＯ感度が設定される。一方、低速シャッタを使って被写体の動きを表現する場合や、絞りを開いて被写界深度を浅くする場合などには、低いＩＳＯ感度が設定される。しかし、ＩＳＯ感度が高いとゲインノイズが増大することや、ＩＳＯ感度の設定範囲があまりに広いと、ユーザが想定していないＩＳＯ感度で撮影が行わる可能性がある。そのため特許文献１の感度オート機能では、ＩＳＯ感度の上限値および下限値をユーザが設定できる。またＩＳＯ感度は、例えばアペックス値における１／２段（以下、アペックス値による１／２段を「１／２Ｅｖ」と呼ぶ）をステップとする所与の設定値群の中から選択され、上限値および下限値もこの設定値群の中から選択される。
【先行技術文献】
【特許文献】
【０００４】
【特許文献１】特開２００８−７０５１３号公報
【発明の概要】
【発明が解決しようとする課題】
【０００５】
一方、感度オート機能におけるＩＳＯ感度のステップを、例えば１Ｅｖ、１／２Ｅｖ、１／３Ｅｖなど、複数のステップから選択可能にしたものも知られている。このような構成では、例えばステップを１／３Ｅｖにして上限値、下限値を設定した後、ステップがより大きい１Ｅｖに変更すると、ステップの違いから１／３Ｅｖで設定された上限値、下限値に対応する１Ｅｖにおける上限値、下限値が同じ値になってしまうことがある。
【０００６】
本発明は、ユーザに違和感を与えずに異なる設定値群の間において撮影パラメータの上限値および下限値を変換可能な撮影パラメータ設定変更システムを提供することを目的とする。
【課題を解決するための手段】
【０００７】
本発明の撮影パラメータ設定変更システムは、所定の撮影パラメータの値を設定するための第１、第２設定値群と、第１、第２設定値群の一方を選択する設定値群選択手段と、設定値群の選択が第１設定値群から第２設定値群に変更されるとき、第１設定値群で設定された撮影パラメータの第１下側設定値Ａおよび第１上側設定値Ｂを、第２設定値群において第１下側設定値Ａおよび第１上側設定値Ｂにそれぞれ最も近い第２下側設定値Ａ’および第２上側設定値Ｂ’に変換する設定値変換手段とを備え、設定値変換手段は、Ａ’＝Ｂ’となるとき、｜Ａ’−Ａ｜＞｜Ｂ’−Ｂ｜ならば、第２下側設定値Ａ’の設定を第２設定値群のうちＡ’よりも小さく、Ａ’に最も近い値に変換し、｜Ａ’−Ａ｜＜｜Ｂ’−Ｂ｜ならば、第２上側設定値Ｂ’の設定を第２設定値群のうちＢ’よりも大きく、Ｂ’に最も近い値に変換することを特徴としている。
【０００８】
撮影パラメータには、例えばＩＳＯ感度、絞り値、シャッタースピードの何れかが含まれる。撮影パラメータはＩＳＯ感度、絞り値、シャッタースピードの何れかをアペックス値に変換したＳｖ、Ａｖ、Ｔｖの何れかである。第１、第２設定値群に含まれる設定値の各ステップは、例えば所定のＥｖ値の差に対応する。第１設定値群に含まれる設定値のステップは、第２設定値群に含まれる設定値のステップよりも小さい。第１上側設定値Ａおよび第１下側設定値Ｂ、第２上側設定値Ａ’および第２下側設定値Ｂ’は、例えば撮影パラメータの設定可能範囲の上限値および下限値に対応する。上限値および下限値は、撮影パラメータの自動設定の範囲の表示に用いられる。更に上限値および下限値は、撮影パラメータの自動設定の範囲に用いられる。
【０００９】
本発明のプログラムは、コンピュータに、所定の撮影パラメータの値を設定するための第１、第２設定値群の一方を選択する手順と、設定値群の選択が第１設定値群から第２設定値群に変更されるとき、第１設定値群で設定された撮影パラメータの第１下側設定値Ａおよび第１上側設定値Ｂを、第２設定値群において第１下側設定値Ａおよび第１上側設定値Ｂにそれぞれ最も近い第２下側設定値Ａ’および第２上側設定値Ｂ’に変換する手順とを実行させるためのプログラムであって、Ａ’＝Ｂ’となるとき、｜Ａ’−Ａ｜＞｜Ｂ’−Ｂ｜ならば、第２下側設定値Ａ’の設定を第２設定値群のうちＡ’よりも小さく、Ａ’に最も近い値に変換し、｜Ａ’−Ａ｜＜｜Ｂ’−Ｂ｜ならば、第２上側設定値Ｂ’の設定を第２設定値群のうちＢ’よりも大きく、Ｂ’に最も近い値に変換することを特徴としている。
【発明の効果】
【００１０】
本発明によれば、ユーザに違和感を与えずに異なる設定値群の間において撮影パラメータの上限値および下限値を変換可能な撮影パラメータ設定変更システムを提供することができる。
【図面の簡単な説明】
【００１１】
【図１】本発明の一実施形態であるデジタルカメラの構成を示すブロック図である。
【図２】ＩＳＯ感度ステップの１Ｅｖ、１／２Ｅｖ、１／３Ｅｖステップに対応する各設定値群の値の関係を示す表である。
【図３】ＩＳＯ感度ステップ変更処理のフローチャートである。
【図４】ＩＳＯ感度ステップ変更時におけるＩＳＯ感度自動設定範囲の表示変更の態様を示す図である。
【図５】絞り値およびシャッタースピードに本実施形態を適用する場合の１Ｅｖ、１／２Ｅｖ、１／３Ｅｖステップに対応する各設定値群の値の関係を示す表である。
【発明を実施するための形態】
【００１２】
以下、本発明の実施の形態を、図面を参照して説明する。図１は、本発明の一実施形態である撮像装置の構成を示すブロック図である。
【００１３】
本実施形態の撮像装置は、例えばデジタルカメラ１０であり、交換レンズ２００とカメラ本体１００から構成される。カメラ本体１００は、レリーズボタン、電子ダイヤル、十字キーやＯＫボタンなどからなる操作スイッチ群（入力手段）１０２を備える。制御部（ＣＰＵ）１０１は、ＲＯＭ１１６に保存される制御プログラムに従いデジタルカメラ１０全体の制御を行う。
【００１４】
制御部１０１は、デジタルカメラ１０に内蔵されたＴＴＬ露出計（図示せず）で測定された測光値に基づき、撮影モードに応じて絞り／シャッタ駆動部１０４を介して絞り２０２やシャッタ１０５を駆動制御し、また後述する画像信号に対するゲイン（ＩＳＯ感度）を制御する。より詳細には、絞り２０２及びシャッタ１０５の駆動制御は、プログラムＡＥ、シャッタ速度優先ＡＥ、絞り優先ＡＥ、感度優先ＡＥなど、モードダイヤルにより指定されるＡＥ機能に基づいて行われ、ゲイン（ＩＳＯ感度）制御はモードダイヤルにより感度優先ＡＥ以外のＡＥ撮影モード（感度オート撮影モード）が指定されるときに後述する感度オート機能を通して行われる。また、制御部１０１は、ＡＥ制御と併せてレンズ駆動部１０３を介して撮影レンズ２０１のＡＦ制御を行う。ＡＦ制御には、アクティブ方式、位相差検出方式、コントラスト検出方式等が適用される。
【００１５】
被写体からの光束は、撮影レンズ２０１、絞り２０２、シャッタ１０５を通過してイメージセンサ１０６により受光される。イメージセンサ１０６は、例えばＣＣＤイメージセンサやＣＭＯＳイメージセンサであり、画像信号は信号処理部１０７へ出力される。信号処理部１０７は、後述するように画像信号を設定されたＩＳＯ感度に応じたゲインで増幅し、画像処理部（画像処理エンジン）１０８に出力する。
【００１６】
画像処理エンジン１０８は、信号処理部１０７より入力される信号に対して色補間、マトリクス演算、Ｙ／Ｃ分離等の所定の信号処理を施して輝度信号Ｙ、色差信号Ｃｂ、Ｃｒを生成し、ＪＰＥＧ等の所定のフォーマットで圧縮する。バッファメモリ１０９は、画像処理エンジン１０８による処理の実行時、処理データの一時的な保存場所として用いられる。
【００１７】
カードインタフェース（Ｉ／Ｆ）１１０のカードスロットには、メモリカード１１１が着脱可能に差し込まれている。画像処理エンジン１０８は、カードインタフェース１１０を介してメモリカード１１１と通信可能である。画像処理エンジン１０８は、生成された圧縮画像信号（撮影画像データ）をメモリカード１１１（又はデジタルカメラ１０に備えられる不図示の内蔵メモリ）に保存する。撮影画像データの保存処理と共に画像処理エンジン１０８は、撮影画像データを所定のフォーマットの画像信号に変換し、画像表示モニタ制御部１１２に出力してもよい。画像表示モニタ制御部１１２は、画像処理エンジン１０８より入力される画像信号を基に撮影後の確認用画像を画像表示モニタ１１３に所定時間表示させる。画像表示モニタ１１３は、例えばＬＣＤである。
【００１８】
また、画像表示モニタ１１３には、操作スイッチ群１０２の操作と連動する各種設定メニューが表示可能であり、ユーザは同メニューを見ながらスイッチ操作を行い、各種設定を行うことができ、設定されたパラメータ値等を画面に表示させることもできる。
【００１９】
次に図２を参照して、本実施形態の感度オート機能について説明する。感度オート機能を用いる撮影モード（感度オート撮影モード）では、被写体輝度、絞り、シャッタースピードに応じて決まる露光量に対して最適と思われる撮像素子のＩＳＯ感度（受光信号の増幅度）を、ユーザが設定した絞りとシャッタースピードに合わせて自動的に決定する。本実施形態の感度オート撮影モードでは、ＩＳＯ感度は、所定ステップで刻まれるＥｖ値（露出値）の中から選択され、所定ステップとして、１Ｅｖ、１／２Ｅｖ、１／３Ｅｖの３つのステップが用意される。
【００２０】
例えば、ＩＳＯ感度は１００〜２５６００（アペックス値Ｓｖ＝０〜８）の間で設定でき、図２のテーブルに示されるように、アペックス値に基づく等差数列によって複数の設定値群が構成されている。１Ｅｖステップでは、｛１００、２００、４００、８００、１６００、３２００、６４００、１２８００、２５６００｝の１Ｅｖ等差ステップによる設定値のグループ（設定値群）の中からＩＳＯ感度が選択され、１／２Ｅｖステップでは｛１００、１４０、２００、２８０、４００、５６０、８００、１１００、１６００、２２００、３２００、４５００、６４００、９０００、１２８００、１８０００、２５６００｝の１／２Ｅｖ等差ステップによる設定値のグループ（設定値群）の中から選択される。また、１／３Ｅｖステップでは、｛１００、１２５、１６０、２００、２５０、３２０、４００、５００、６４０、８００、１０００、１２００、１６００、２０００、３２００、４０００、５０００、６４００、８０００、１００００、１２８００、１６０００、２０４８０、２５６００｝の等差１／３Ｅｖ等差ステップによる設定値からなるグループ（設定値群）の中からＩＳＯ感度が選択される。なお、これらの値（テーブル）は、例えばＲＯＭ１１６（図１参照）等の不揮発性記録媒体に予め記録されている。
【００２１】
本実施形態の感度オート撮影モードでは、ユーザの作画意図を逸脱しないようＩＳＯ感度が自動設定される範囲、すなわちＩＳＯ感度設定範囲の上限値（上側設定値）および下限値（下側設定値）をユーザが設定できる。１Ｅｖ、１／２Ｅｖ、１／３Ｅｖの各ステップを用いた感度オート処理では、各々のステップに対応する設定値群の中から上限値および下限値が設定される。そのためＩＳＯ感度設定範囲の上限値および下限値を全てのステップで、常に同じ値に設定することはできない。一方、１Ｅｖ、１／２Ｅｖ、１／３Ｅｖのステップ毎に上限値および下限値を設定するのは煩雑である。そのため本実施形態では、ユーザがＩＳＯ感度ステップを切り替えた場合に、切り替え前のステップの上限値および下限値を、切り替え後のステップの上限値および下限値に変換して用いる。
【００２２】
図３は、本実施形態の感度ステップ変更時の処理のフローチャートである。本処理は、ユーザが操作スイッチ群（入力手段）１０２を操作してＩＳＯ感度ステップ変更メニューが実行されることで制御部１０１（図１）において実行される。
【００２３】
ステップＳ１００では、現在設定中のＩＳＯ感度ステップがユーザによって変更されたか否かが判定される。変更されていない場合にはＩＳＯ感度ステップ変更メニューがユーザによって終了されたかどうか（現設定をユーザが承認したか）がステップＳ１１２で判定され、ＩＳＯ感度ステップ変更メニューが終了された場合には（ユーザが現設定維持を選択したことになるので）本処理は直ちに終了する。一方、ＩＳＯ感度ステップがユーザによって変更された場合、ステップＳ１０２において、ＩＳＯ感度ステップ変更前に選択されていたＩＳＯ感度ステップの設定値群を用いて設定されていた下限値Ａおよび上限値Ｂを、ＩＳＯ感度ステップ変更後に選択されたＩＳＯ感度ステップの設定値群において最も近い値Ａ’、Ｂ’にそれぞれ変換する。
【００２４】
例えば当初ＩＳＯ感度ステップ１／３Ｅｖが選択され、その下限値Ａが１６０、上限値Ｂが３２０に設定されているときに、ＩＳＯ感度ステップが１Ｅｖに変更されると、Ａ’＝２００、Ｂ’＝４００とされる（図２参照）。一方、当初ＩＳＯ感度ステップ１／３ＥｖにおいてＡ＝１６０、Ｂ＝２５０のときにＩＳＯ感度ステップが１Ｅｖに変更されると、Ａ’＝２００、Ｂ’＝２００とされ（図２参照）、下限値および上限値の変更後の値が一致してしまう。本実施形態では、ステップＳ１０４以下の処理により同不都合を解消する。
【００２５】
ステップＳ１０４では、変換後の値Ａ’および値Ｂ’が等しいか否か、すなわちＡ’＝Ｂ’であるか否かが判定される。Ａ’およびＢ’が等しくなければ、ステップＳ１０２で得られたＡ’およびＢ’の値を、それぞれを下限値Ａ’、上限値Ｂ’としユーザの承認（Ｓ１１２）を待って本処理を終了する。すなわち、変更前のＩＳＯ感度ステップ１／３Ｅｖの下限値Ａが１６０、上限値Ｂが３２０のとき、ＩＳＯ感度ステップが１Ｅｖに変更されると、下限値はＡ’＝２００、上限値はＢ’＝４００とされる。
【００２６】
一方、Ａ’＝Ｂ’のときには、ステップＳ１０６において、変換前後における上限値の変化量と下限値の変化量の大きさが比較される。すなわち｜Ｂ’−Ｂ｜≧｜Ａ’−Ａ｜であるか否かが判定される。｜Ｂ’−Ｂ｜≧｜Ａ’−Ａ｜のときには、ステップＳ１０８において、上限値をＢ’から同設定値群において１ステップ上げた値に設定するとともに下限値をＡ’に設定して本処理を終了する。一方、｜Ｂ’−Ｂ｜＜｜Ａ’−Ａ｜のときには、ステップＳ１１０において、下限値をＡ’から同設定値群において１ステップ下げた値に設定し、上限値をＢ’に設定し、ユーザの承認（Ｓ１１２）を待って本処理を終了する。
【００２７】
例えば、ＩＳＯ感度ステップ１／３ＥｖにおいてＡ＝１６０、Ｂ＝２００のときにＩＳＯ感度ステップが１Ｅｖに変更されると、Ａ’＝２００、Ｂ’＝２００となる（図２参照）。このとき｜Ｂ’−Ｂ｜＝０＜｜Ａ’−Ａ｜＝４０なので、ＩＳＯ感度設定範囲の上限値としてＢ’＝２００が設定され、下限値としては、Ａ’＝２００から１ステップ下げた１００が設定される（図２参照）。図４（ａ）に、このときのＩＳＯ感度範囲の画像表示モニタ１１３への表示例を示す。
【００２８】
一方、ＩＳＯ感度ステップ１／３ＥｖにおいてＡ＝２００、Ｂ＝２５０のときにＩＳＯ感度ステップが１Ｅｖに変更されると、やはりＡ’＝２００、Ｂ’＝２００となる（図２参照）。このとき｜Ｂ’−Ｂ｜＝５０＞｜Ａ’−Ａ｜＝０なので、ＩＳＯ感度設定範囲の下限値としてＢ’＝２００が設定され、上限値としては、Ｂ’＝２００から１ステップ上げた４００が設定される（図２参照）。図４（ｂ）に、このときのＩＳＯ感度範囲の画像表示モニタ１１３への表示例を示す。
【００２９】
以上のように、本実施形態によれば、ユーザに違和感を与えずに異なる設定値群の間において撮影パラメータの上限値および下限値を変換できる。
【００３０】
本実施形態の撮影パラメータ設定変更システムは、感度オート機能への適用に限定されるものではなく、感度を所定のステップで変更しつつ複数枚の撮影を行うブラケット撮影にも適用できる。また、図５（ａ）、図５（ｂ）に示されるように、絞り値やシャッタースピードにおける２つの値が、複数の設定値群において設定される（絞りオート撮影、シャッタースピードオート撮影、ブラケット撮影）の場合にも適用できる。図５（ａ）は、絞り値が１Ｅｖ、１／２Ｅｖ、１／３Ｅｖをステップとして設定される場合の各値の関係を示し、図５（ｂ）は、シャッタースピードが１Ｅｖ、１／２Ｅｖ、１／３Ｅｖをステップとして設定される場合の各値の関係を示す。各オート撮影またはブラケット撮影において、選択される設定値群をあらかじめ設定し、その中で変化させつつ撮影することができる。これらの値（テーブル）は、例えばＲＯＭ１１６（図１参照）等の不揮発性記録媒体に予め記録されている。
【００３１】
なお、設定値群から選択される離散的な値は、設定範囲の表示にのみ使用されてもよいが、実際の撮影パラメータの設定や、撮影パラメータの範囲設定も設定値群における離散的な値に従って設定してもよい。なお、設定値群の値を設定値の範囲表示にのみに用いる場合には、撮影パラメータ実際の設定は、設定値群のステップとは関係なく連続的なパラメータとして扱われる（取扱い可能な最少ステップで実行される）。
【００３２】
また、表示用撮影パラメータ（ＩＳＯ感度、絞り値、シャッタースピード）と、ステップ切り替えにおける表示用撮影パラメータの上限値、下限値の変換の際に比較される差分値の計算に用いられる撮影パラメータとは同じである必要はない。例えば、表示にＩＳＯ感度、絞り値、シャッタースピードなどの第１撮影パラメータを用い、差分計算には、これらの値に対応するアペックス値（Ｓｖ、Ａｖ、Ｔｖ）による第２撮影パラメータを用いることも可能である。
【００３３】
ＩＳＯ感度（Ｓｖ）を例に説明すれば、図３のステップＳ１０４において、変換後のＩＳＯ感度の下限値Ａ’および上限値Ｂ’が等しいとき、ステップＳ１０６の判定において、ＩＳＯ感度の変換前後の上限値および下限値に対応するアッペックス値（Ｓｖ）の差分を比較し、処理を分岐させることでも同様の効果が得られる。すなわち、第１パラメータｘに対応するアペックス値をＡＰＥＸ（ｘ）と表すと、｜ＡＰＥＸ（Ｂ’）−ＡＰＥＸ（Ｂ）｜≧｜ＡＰＥＸ（Ａ’）−ＡＰＥＸ（Ａ）｜のときにステップＳ１０８で第１パラメータの上限値Ａ’を１ステップ（１Ｅｖ）上げ、｜ＡＰＥＸ（Ｂ’）−ＡＰＥＸ（Ｂ）｜＜｜ＡＰＥＸ（Ａ’）−ＡＰＥＸ（Ａ）｜のときにステップＳ１１０で第１パラメータの下限値Ｂ’を１ステップ（１Ｅｖ）上げる。
【００３４】
例えば、ＩＳＯ感度（Ｓｖ）のステップ１／３ＥｖにおいてＡ＝１６０（対応するＳｖ＝２／３）、Ｂ＝２００（対応するＳｖ＝１）のときにＩＳＯ感度ステップが１Ｅｖに変更されると、Ａ’＝Ｂ’＝２００（対応Ｓｖ＝１）（図２参照）となり、このとき、｜ＡＰＥＸ（Ａ’）−ＡＰＥＸ（Ａ）｜＝１／３＞｜ＡＰＥＸ（Ｂ’）−ＡＰＥＸ（Ｂ）｜＝０となる。したがって、ＩＳＯ感度設定範囲の上限値としてそのままＳｖ＝１に対応するＢ’＝２００が設定され、下限値としては、Ｓｖ＝１から１ステップ下げたＳｖ＝０に対応する「１００」が設定される（図２参照）。また、ＩＳＯ感度ステップ１／３ＥｖにおいてＡ＝２００（Ｓｖ＝１）、Ｂ＝２５０（Ｓｖ＝１＋１／３）のときにＩＳＯ感度ステップが１Ｅｖに変更されると、Ａ’＝Ｂ’＝２００（図２参照）となり、このとき｜ＡＰＥＸ（Ａ’）−ＡＰＥＸ（Ａ）｜＝０＜｜ＡＰＥＸ（Ｂ’）−ＡＰＥＸ（Ｂ）｜＝１／３となる。したがって、ＩＳＯ感度設定範囲の下限値としてそのままＳｖ＝１に対応するＢ’＝２００が設定され、上限値としては、Ｓｖ＝１から１ステップ上げたＳｖ＝２に対応する「４００」が設定される（図２参照）。
【００３５】
なお、本実施形態の撮影パラメータ設定変更システムは、スマートホンや携帯電話なども適用でき、同システムをコンピュータプログラムとして提供することもできる。
【符号の説明】
【００３６】
１０  デジタルカメラ
１００  カメラ本体
１０１  制御部（ＣＰＵ）
１０２  操作スイッチ群
１０４  絞り／シャッタ駆動部
１０５  シャッタ
１０６  イメージセンサ
１０７  信号処理部
１１３  画像表示モニタ
１１６  ＲＯＭ（不揮発性記録媒体）
２００  交換レンズ
２０２  絞り
【図１】
0006682792.tif 000002
【図２】
0006682792.tif 000003
【図３】
0006682792.tif 000004
【図４】
0006682792.tif 000005
【図５】
0006682792.tif 000006